(57)【要約】【課題】貯留皿から球排出通路に挿入された針金等の挿入部材で始動入賞口スイッチを不正に操作する不正行為を確実に防止できるパチンコ遊技機を提供する。【解決手段】大入賞口装置１３は、球排出通路１４の途中部に球流下方向と平行な軸心回りに回転自在に支持される不正防止用回転体２８と、この不正防止用回転体２８を回転駆動する回転駆動モータ２９とを備え、不正防止用回転体２８は、球排出通路１４の一部をなす球通過穴３３と、この球通過穴３３を横断する架橋部３４とを備え、球通過穴３３及び架橋部３４よりも球流れ方向の近傍部位に、球排出通路２４を横断する固定側架橋部材４３が設けられ、回転中の不正防止用回転体２８の球通過穴３３に不正目的の挿入部材が挿入された場合、架橋部３４と固定側架橋部材４３とで挿入部材を挟持してそれ以上の侵入を不可能にする。【選択図】図６
2010124861.tif 000002
【特許請求の範囲】
【請求項１】
始動入賞口を有する始動入賞口装置と、始動入賞口に入賞した入賞球を検出する始動入賞口スイッチと、始動入賞口装置の下側に配設され且つ大入賞口を有する大入賞口装置と、始動入賞口装置からの遊技球を下方へ排出させると共に大入賞口装置からの遊技球を下方へ排出させる球排出通路とを有するパチンコ遊技機において、
前記大入賞口装置は、
前記球排出通路の途中部に球流下方向と平行又は略平行な軸心回りに回転自在に支持された不正防止用回転体と、この不正防止用回転体を回転駆動する回転駆動手段とを備え、  
前記不正防止用回転体は、球排出通路の一部をなす球通過穴と、この球通過穴を横断する架橋部とを備えたことを特徴とするパチンコ遊技機。
【請求項２】
前記不正防止用回転体は外周部に形成された外周ギヤ部を有し、前記回転駆動手段は外周ギヤ部に歯合させたピニオンを介して不正防止用回転体を回転駆動することを特徴とする請求項１に記載のパチンコ遊技機。
【請求項３】
前記球通過穴及び架橋部よりも球流れ方向上流側又は下流側の近傍部位に、前記球排出通路を横断する固定側架橋部材が設けられたことを特徴とする請求項２に記載のパチンコ遊技機。
【請求項４】
外部から前記球排出通路に挿入された不正目的の挿入部材が、前記不正防止用回転体の球通過穴に挿入された際には、前記不正防止用回転体の架橋部と固定側架橋部材とで挿入部材を挟持してそれ以上の挿入を不可能にすることを特徴とする請求項１〜３の何れかに記載のパチンコ遊技機。
【請求項５】
前記不正防止用回転体は、前記大入賞口装置の入賞口ケースの上面部又は下面部に配置されたことを特徴とする請求項１〜４の何れかに記載のパチンコ遊技機。
【発明の詳細な説明】
【技術分野】
【０００１】
本発明は、パチンコ遊技機に関し、特に始動入賞口スイッチを不正に誤作動させる不正行為を防止できるように不正防止機構を設けた大入賞口装置を有するパチンコ遊技機に関する。
【背景技術】
【０００２】
従来から、パチンコ遊技機には、始動入賞口を有する始動入賞口装置と、始動入賞口装置の下側に配設され且つ大入賞口を有する大入賞口装置が設けられている。始動入賞口装置には近接スイッチ等からなる始動入賞口スイッチが設けられている。始動入賞口に入賞した遊技球は、始動入賞口スイッチの球通過孔を通過すると検出され、この検出に基づいて、所定個数の遊技球が賞球として貯留皿に払い出され、大当り抽選に当選した場合には、大入賞口装置が作動して大入賞口が所定のパターンで開閉される。
【０００３】
この種のパチンコ遊技機は、一般に、遊技盤の裏側に始動入賞口装置からの遊技球を下方へ排出させると共に大入賞口装置からの遊技球を下方へ排出させる球排出通路を備え、この球排出通路は、始動入賞口装置から下方に延びて大入賞口装置を貫通するように設けられている。始動入賞口に入賞した遊技球は、始動入賞口スイッチの球通過孔を通過して、球排出通路を流下し、大入賞口装置から下方に排出される。
【０００４】
ところで、従来から、貯留皿から球排出通路に不正目的の針金等の挿入部材が挿入され、その先端が始動入賞口スイッチの球通過孔に挿入されることにより、始動入賞口スイッチを誤作動させて不正に賞球を獲得する不正行為が行われ、この不正行為によりパチンコホールが多大な損害を被るといった問題が生じていた。
【０００５】
このため、従来、この種の不正行為を防止するために、不正防止機構を設けた大入賞口装置が実用に供されている。
特許文献１には、始動入賞口や大入賞口に入賞した遊技球が流下する球排出通路の出口に蓋部材を設けたパチンコ遊技機が開示されている。通常時、蓋部材は付勢手段により閉位置に保持されているので球排出通路への針金等の挿入部材の挿入を阻止できる。一方、入賞時、遊技球の自重により蓋部材が開位置へ回動するので、球排出通路の出口が開放される。
【特許文献１】特開２００１−１４５７５６号公報
【発明の開示】
【発明が解決しようとする課題】
【０００６】
特許文献１のパチンコ遊技機においては、遊技球の自重により蓋部材が開位置へ回動し、球排出通路の出口の蓋部材が開放されたとき、その蓋部材をかわして挿入部材を球排出通路に侵入させることができる。そのため、一旦、挿入部材を球排出通路に挿入すれば、蓋部材が閉位置になっても、球排出通路に挿入された挿入部材を始動入賞口スイッチ側へ侵入させることができ、挿入始動入賞口スイッチを誤作動させることができるという問題がある。
【０００７】
本発明の目的は、貯留皿から球排出通路に挿入された針金等の挿入部材で始動入賞口スイッチを不正に誤作動させる不正行為を確実に防止できるパチンコ遊技機を提供することである。
【課題を解決するための手段】
【０００８】
上記目的を達成するために本発明は以下のような構成を採用した。尚、括弧内の参照符号は、本発明の理解を助けるために図面との対応関係の一例を示したものであり、本発明の技術的範囲を何ら限定するものではない。
請求項１のパチンコ遊技機は、始動入賞口(11a,11b) を有する始動入賞口装置(11)と、始動入賞口(11a,11b) に入賞した入賞球を検出する始動入賞口スイッチ(11d) と、始動入賞口装置(11)の下側に配設され且つ大入賞口(25)を有する大入賞口装置(13)と、始動入賞口装置(11)からの遊技球(P) を下方へ排出させると共に大入賞口装置(13)からの遊技球(P) を下方へ排出させる球排出通路(14)とを有するパチンコ遊技機(1) において、大入賞口装置(13)は、球排出通路(14)の途中部に球流下方向と平行又は略平行な軸心回りに回転自在に支持された不正防止用回転体(28)と、この不正防止用回転体(28)を回転駆動する回転駆動手段(29)とを備え、不正防止用回転体(28)は、球排出通路(14)の一部をなす球通過穴(33)と、この球通過穴(33)を横断する架橋部(34)とを備えたものである。
【０００９】
このパチンコ遊技機(1) においては、回転駆動手段(29)により、大入賞口装置(13)の不正防止用回転体(28)が球流下方向と平行又は略平行な軸心回りに回転駆動される。始動入賞口(11a,11b) に遊技球(P) が入賞した場合、遊技球(P) は、始動入賞口装置(11)から球排出通路(14)を流下して、その途中部の回転中の不正防止用回転体(28)の球通過穴(33)を通過し、大入賞口装置(13)から下方へ排出される。
【００１０】
外部から球排出通路(14)に挿入された不正目的の挿入部材が、不正防止用回転体(28)の球通過穴(33)に挿入された場合、挿入部材が回転中の不正防止用回転体(28)の架橋部(34)に絡まって方向が変られるので、大入賞口装置(13)よりも上側の始動入賞口装置(11)の始動入賞口スイッチ(11d) へ挿入部材を挿入できないようにすることができる。このように、不正防止用回転体(28)と、回転駆動手段(29)とで不正防止機構が構成されている。
【００１１】
請求項２のパチンコ遊技機は、請求項１の発明において、不正防止用回転体(28)は外周部に形成された外周部ギヤ(35)を有し、回転駆動手段(29)は外周ギヤ部(35)に噛合させたピニオン(40)を介して不正防止用回転体(28)を回転駆動することを特徴としている。
【００１２】
請求項３のパチンコ遊技機は、請求項２の発明において、球通過穴(33)及び架橋部(34)よりも球流れ方向上流側又は下流側の近傍部位に、球排出通路(14)を横断する固定側架橋部材(43)が設けられたことを特徴としている。
【００１３】
請求項４のパチンコ遊技機は、請求項１〜３の発明の何れかにおいて、外部から球排出通路(14)に挿入された不正目的の挿入部材が、不正防止用回転体(28)の球通過穴(33)に挿入された際には、不正防止用回転体(28)の架橋部(34)と固定側架橋部材(43)とで挿入部材を挟持してそれ以上の挿入を不可能にすることを特徴としている。
【００１４】
請求項５のパチンコ遊技機は、請求項１〜４の発明の何れかにおいて、不正防止用回転体(28)は、大入賞口装置(13)の入賞口ケース(30)の上面部又は下面部に配置されたことを特徴としている。
【発明の効果】
【００１５】
請求項１の発明によれば、大入賞口装置は、球排出通路の途中部に球流下方向と平行又は略平行な軸心回りに回転自在に支持された不正防止用回転体と、この不正防止用回転体を回転駆動する回転駆動手段とを備え、不正防止用回転体は、球排出通路の一部をなす球通過穴と、この球通過穴を横断する架橋部とを備えたので、次の効果を奏する。
【００１６】
外部から球排出通路に挿入された不正目的の挿入部材が、不正防止用回転体の球通過穴に挿入された場合、挿入部材が回転中の不正防止用回転体の架橋部に絡まって方向が変られるので、大入賞口装置よりも上側の始動入賞口装置の始動入賞口スイッチへ挿入部材を挿入できなくなる。それ故、始動入賞口スイッチを不正に誤作動させる不正行為を確実に防止することができる。
【００１７】
請求項２の発明によれば、不正防止用回転体は外周部に形成された外周ギヤ部を有し、回転駆動手段は外周ギヤ部に噛合させたピニオンを介して不正防止用回転体を回転駆動するので、簡単な構成の不正防止機構により不正行為を確実に防止することができる。
【００１８】
請求項３の発明によれば、球通過穴及び架橋部よりも球流れ方向上流側又は下流側の近傍部位に、球排出通路を横断する固定側架橋部材が設けられたので、不正目的の挿入部材が不正防止用回転体の球通過穴に挿入された際には、回転中の架橋部と固定側架橋部材とで挿入部材を挟持してそれ以上の挿入を不可能にすることができる。
【００１９】
請求項４の発明によれば、外部から球排出通路に挿入された不正目的の挿入部材が、不正防止用回転体の球通過穴に挿入された際には、不正防止用回転体の架橋部と固定側架橋部材とで挿入部材を挟持してそれ以上の挿入を不可能にするので、始動入賞口スイッチに対する不正行為を確実に防止することができる。
【００２０】
請求項５の発明によれば、不正防止用回転体は、大入賞口装置の入賞口ケースの上面部又は下面部に配置されたので、入賞口ケースよりも上側に配設された始動入賞口スイッチへの挿入部材の挿入を確実に防止することができる。
【発明を実施するための最良の形態】
【００２１】
以下、本発明を実施するための最良の形態について実施例に基づいて説明する。
【実施例】
【００２２】
以下、本発明の実施例を図面に基づいて説明する。
図１、図２に示すように、第１種パチンコ機に分類されるパチンコ遊技機１には、パチンコホールの島構造体に取り付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。この透明板３ｂを通して外部から遊技領域５を見ることができる。
【００２３】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００２４】
図２に示すように、鉛直な盤面４ａを形成する遊技盤４には、多数の障害釘１０、始動入賞口装置１１、ゲート１２、大入賞口装置１３、複数の普通入賞口１５、画像表示器１６、センタ役物１７が遊技領域５に装着され、遊技領域５外に遊技表示盤１８が装着されている。
【００２５】
遊技盤４の裏側には、パチンコ遊技機１を制御する制御装置（図示略）、始動入賞口１１ａ，１１ｂに入賞した遊技球Ｐを始動入賞装置１１から下方へ排出させると共に大入賞口２５に入賞した遊技球Ｐを大入賞口装置１３から下方へ排出させ所定の上下幅を有し円筒形状の球排出通路１４（図３参照）、球排出通路１４から排出された遊技球Ｐを賞球として貯留皿６に払出す払出機構（図示略）が設けられている。
【００２６】
遊技領域５の頂部に投入された遊技球Ｐは、遊技領域５の多数の障害釘１０や風車（図示略）に当たって方向を変えながら落下し、始動入賞口装置１１の始動入賞口１１ａ、１１ｂ、ゲート１２、大入賞口装置１３の大入賞口２５、複数の普通入賞口１５の何れかに入賞して遊技領域５外へ排出されるか、最下端まで落下してアウト口１９から遊技領域５外へ排出される。
【００２７】
図２〜図５に示すように、始動入賞口装置１１は、センタ役物１７の下側に配置され、電チューと呼ばれる左右１対の開閉部材を備えた電動式チューリップ型役物を含む構成である。
始動入賞口装置１１は、ゲート式の上始動入賞口１１ａと、開閉式の下始動入賞口１１ｂと、この下始動入賞口１１ｂを開閉する開閉部材１１ｃと、始動入賞口１１ａ，１１ｂに入賞した遊技球Ｐを検出する始動入賞口スイッチ１１ｄと、開閉部材１１ｃを開閉駆動する駆動手段とを有する。
【００２８】
始動入賞口装置１１には、始動入賞口１１ａ，１１ｂの後端部位に装飾板部２０が設けられ、この装飾板部２０の左右両端部が遊技盤４に固定ビス２０ａにより固定されている。開閉部材１１ｃは、盤面４ａと直交する方向に所定幅を有する左右対称形状の１対の羽根部材２１ａ，２１ｂからなり、軽量化し慣性モーメントを高めるため、例えば、合成樹脂材料で軽量に構成されている。これら羽根部材２１ａ，２１ｂは、盤面４ａと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。
【００２９】
始動入賞口装置１１から排出される遊技球Ｐを下方へ排出させると共に大入賞口装置１３から排出される遊技球Ｐを下方へ排出させる球排出通路１４が設けられている。
この球排出通路１４は、始動入賞口装置１１内のほぼ鉛直の通路１４ａと、始動入賞口装置１１から大入賞口装置１３まで延びるほぼ鉛直の通路１４ｂと、大入賞口装置１３から下方へ延びるほぼ鉛直の通路１４ｃとを有する。
【００３０】
前記通路１４ａの上端（入口）は、始動入賞口１１ａ，１１ｂの排出側誘導通路と連通しており、通路１４ａの下端は通路１４ｂの上端に連なっている。始動入賞口１１ａ，１１ｂに流入した遊技球Ｐは、始動入賞口１１ａ，１１ｂの排出側球誘導路を通って通路１１ａに導入され、通路１４ｂへ排出される。
【００３１】
始動入賞口スイッチ１１ｄは、電磁誘導により遊技球Ｐを検出するスイッチからなり、通路１１ａの途中部に配設されている。この始動入賞口スイッチ１１は、球案内通路１１ａの一部をなす球通過孔２２ｂが形成された合成樹脂製のケーシング２２ａと、ケーシング２２ａ内で球通過孔２２ｂの外周側に配置されたコイルと、コイルに接続されたスイッチ回路（図示略）とを有し、遊技球Ｐが球通過孔２２ｂを通過すると検出するように構成されている。
【００３２】
１対の羽根部材２１ａ，２１ｂを開閉駆動する駆動手段としてのソレノイドアクチュエータ２３が、始動入賞口装置１１の後端部分に配設されている。
ソレノイドアクチュエータ２３に通電して駆動すると（励磁状態）、その出力軸がバネ部材の付勢力に抗して退入し、連結機構を介して１対の羽根部材２１ａ，２１ｂが、起立姿勢の閉位置から図３〜図５に示す逆ハ字形に傾動した開位置へ回動する。一方、ソレノイドアクチュエータ２３への通電を停止すると（消磁状態）、その出力軸がバネ部材の付勢力により伸長し、連結機構を介して１対の羽根部材２１ａ，２１ｂが開位置から閉位置へ回動する。
【００３３】
ゲート１２はセンタ役物１７の左側に配置され、このゲート１２を通過した遊技球Ｐを検出するゲートスイッチ（図示略）が設けられている。ゲート１２を遊技球Ｐが通過することを契機とする抽選により当選した場合、通常は閉塞の下始動入賞口１１ｂを開閉するように羽根部材２１ａ，２１ｂを開閉動作させる。
【００３４】
遊技表示盤１８は、遊技領域５の下側の右側領域に配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａには、始動入賞口１１ａ、１１ｂへの遊技球Ｐの入賞を契機に行われる抽選の結果が変動表示され、普通図柄表示器１８ｄには、ゲート１２を遊技球Ｐが通過することを契機に行われる抽選の結果が変動表示後に表示される。
【００３５】
特別図柄表示器１８ａの変動表示中に、始動入賞口１１ａ，１１ｂに入賞した入賞球の個数であって、特別図柄の変動が未実行の入賞球の保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未実行の遊技球Ｐの保留数が最大で４つまで保留され、普通図柄保留ランプ１８ｄには、その普通図柄の保留数が表示される。
【００３６】
画像表示器１６は、液晶ディスプレイ（ＬＣＤ）からなり、枠状のセンタ役物１７内に装着されている。この画像表示器１６には、例えば、図２に示すように演出図柄（装飾図柄）が表示される。この演出図柄は、リーチや大当りに対する遊技者の期待感を喚起するために演出目的で表示されるものである。遊技者は、この演出図柄の停止態様を見て特別図柄表示器１８ａの特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００３７】
次に、大入賞口装置１３について詳しく説明する。
図２〜図４、図６に示すように、大入賞口装置１３は始動入賞口装置１１の下側に配置され、大入賞口２５と、盤面４ａと平行方向の水平な軸回りに開閉動作する開閉部材２６と、この開閉部材２６を開閉駆動する駆動手段としてのソレノイドアクチュエータ２７と、大入賞口２５の近傍部位に付設され大入賞口２５に入賞した遊技球Ｐを検出する大入賞口スイッチ（図示略）と、球排出通路１４の途中部に回転自在に支持された不正防止用回転体２８と、この不正防止用回転体２８を回転駆動する回転駆動モータ２９（回転駆動手段）と、ソレノイドアクチュエータ２７や回転駆動モータ２９を収容する入賞口ケース３０とを有する。
【００３８】
図４、図６、図７に示すように、入賞口ケース３０は、合成樹脂材料で前端開放状の矩形箱状に形成されている。この入賞口ケース３０の中央部には、球排出通路１４の一部をなす通路１４ｃが入賞口ケース３０の上面部から球流下方向に鉛直に貫通状に形成されている。入賞口ケース３０の前端には装飾板部材３１が配設されている。
【００３９】
図３、図４、図６に示すように、装飾板部材３１は、正面視にてほぼ横長に形成され、複数の固定ビス３１ａにより遊技盤４に固定されている。装飾板部材３１の中央上部寄り部分には、正面視にて横長矩形状に開口された大入賞口２５が形成されている。この大入賞口２５を開閉する正面視にて矩形板状の開閉部材２６が設けられ、慣性モーメントを小さくして開閉動作の応答性を高めるため、この開閉部材２６は、合成樹脂材料で軽量に構成されている。
【００４０】
開閉部材２６の左右両端部の下端には、遊技盤４と平行に延びる枢支軸（図示略）が設けられ、この枢支軸の先端部を装飾板部材３１の軸受け部に回動自在に装着することで、開閉部材２６が、図３に示す鉛直姿勢の閉位置と、図４、図６に示す前方に所定角度傾斜した開位置とに亙って位置切換え自在に構成されている。開閉部材２６が開位置のとき大入賞口２５が開放状態となり、閉位置のとき大入賞口２５が閉塞状態になる。
【００４１】
図６に示すように、開閉部材２６を開閉駆動するソレノイドアクチュエータ２７は、入賞口ケース３０の後端部分において左側壁の内側近傍部位に設けられている。
ソレノイドアクチュエータ２７に通電して駆動すると（励磁状態）、その出力軸がバネ部材の付勢力に抗して退入し、連結機構を介して開閉部材２６が図３の閉位置から図４、図６の開位置に枢支軸を中心に反時計回り方向に回動する。一方、ソレノイドアクチュエータ２７への通電を停止すると（消磁状態）、バネ部材の付勢力により、その出力軸が伸長し、連結機構を介して開閉部材２６が図４、図６の開位置から図３の閉位置に枢支軸を中心に時計回り方向に回動する。
【００４２】
次に、不正防止機構３２について説明する。
この不正防止機構３２は、外部から球排出通路１４に挿入された不正目的の挿入部材が、始動入賞口スイッチ１１ｄの方へ侵入するのを防止する為の機構である。
図４、図６〜図８に示すように、不正防止機構３２は、不正防止用回転体２８と、この不正防止用回転体２８を所定位置に保持する環状部材３６と、この不正防止用回転体２８に設けられた球通過穴３３及びこの球通過穴３３を横断する架橋部３４と、不正防止用回転体２８を回転駆動する回転駆動手段と、架橋部３４の上面側近傍に位置する固定側架橋部材４３等を備えている。
【００４３】
入賞口ケース３０の上面部には、不正防止回転体２８を収容する環状部材３６及び不正防止用回転体２８が設けられている。不正防止用回転体２８は、通路１４ｂの下端と通路１４ｃの間に対応する位置において入賞口ケース３０の上面部の中央に環状部材３６の下側に配置されている。合成樹脂製の不正防止用回転体２８は、球排出通路１４の球流下方向と平行な又は略平行な軸心回りに回転自在に構成されている。前記球通過穴３３は、球排出通路１４の一部をなすように形成され、架橋部３４は球通過穴３３を横断する状態に形成されている。不正防止用回転体２８の外周部には外周ギヤ部３５が形成されている。
【００４４】
球通過穴３３は、球流下方向に貫通状に形成された円形穴であり通路１４ａ〜１４ｃと連通しており、始動入賞口装置１１から通路１４ａ，１４ｂを流下した遊技球Ｐが球通過穴３３を通過し、通路１４ｃへ流下する。
架橋部３４は矩形断面のロッド状に不正防止用回転体２８に一体形成され、球通過穴３３の中心を通るように球通過穴３３を横断してその両端が球通過穴３３の内周壁に固着されている。球通過穴３３が架橋部３４で分断されても、架橋部３４の両側には遊技球Ｐが通過可能な半円状の穴が形成されている。
【００４５】
環状部材３６は、不正防止用回転体２８の外周ギヤ部３５を被覆する環状部３６ａと、環状部３６ａの下端から下方に延びる筒部３６ｂとを備えている。筒部３６ｂは入賞口ケース３０に円形に切欠いて形成した係合凹部３７に嵌合し、環状部３６ａは、入賞口ケース３０に固定されている。環状部３６ａの内側の円形穴は、通路１４ｂの一部を構成している。
【００４６】
入賞口ケース３０の上面部において、不正防止用回転体２８の下側近傍部位には、不正防止用回転体２８と同じ外径の環状のスペーサー３８が設けられている。このスペーサー３８は合成樹脂製であり、このスペーサー３８の内側の円形穴は、通路１４ｃの一部を構成している。球通過穴３３を通過した遊技球Ｐは、通路１４ｃを流下し、大入賞口装置１３から排出機構へ排出される。
【００４７】
スペーサー３８の外周部は、環状部材３６の筒部３６ｂの下端部の内周壁に固着されており、図７に示すように、不正防止用回転体３８の外周ギヤ部３５は、スペーサー３８と環状部材３６により形成される断面コ字状の収容凹部３９に遊嵌され、不正防止用回転体３８が、スペーサー３８と環状部材３６により回転自在に支持されている。
【００４８】
球通過穴３３及び架橋部３４よりも球流れ方向上流側の近傍部位において、環状部材３６には、矩形断面のロッド状の固定側架橋部材４３が設けられている。この固定側架橋部材４３は、球排出通路１４のうちの通路１４ｂの中心を通って通路１４ｂを横断し且つ図８に示す平面視にて架橋部３４と交差するように構成されている。固定側架橋部材４３と回転する架橋部３４とで、不正目的の挿入部材を挟持して、挿入部材がそれ以上挿入できないようにする為のものである。
【００４９】
不正防止用回転体２８を回転駆動する回転駆動手段は、不正防止用回転体３８の外周ギヤ部３５と、外周ギヤ部３５に噛合したピニオン４０と、このピニオン４０及び外周ギヤ部３５を回転駆動する回転駆動モータ２９とで構成されている。回転駆動モータ２９は、入賞口ケース３０の後部内に不正防止用回転体２８よりも後方に倒立状態に配置されている。この回転駆動モータ２９は、正逆回転自在で且つ回転速度も変更可能なモータである。
【００５０】
回転駆動モータ２９の出力軸２９ａの先端部には合成樹脂製のピニオン４０が固着されている。ピニオン４０は、前記の環状部材３６の筒部３６ｂに形成された挿通孔４２を介して不正防止用回転体２８の外周ギヤ部３５に噛合されている。
【００５１】
回転駆動モータ２９は、パチンコ遊技機１の制御装置（図示略）に電気的に接続され、制御装置で駆動制御される。回転駆動モータ２９が回転駆動すると、その回転駆動力がピニオン４０を介して不正防止用回転体２８の外周ギヤ部３５に伝達され、不正防止用回転体２８が回転駆動され、架橋部３４が回転する。
【００５２】
以上説明したパチンコ遊技機１の作用効果について説明する。
遊技者が発射ハンドル７を回動操作することで、遊技球Ｐが遊技領域５の頂部に連続的に投入され、多数の障害釘１０や風車に当たって方向を変えながら落下する。上始動入賞口１１ａや、ゲート１２の通過を契機とする抽選により当選し開放された下始動入賞口１１ｂに遊技球Ｐが入賞して始動入賞口スイッチ１１ｄにより検出されると、貯留皿６に所定個数の遊技球Ｐが賞球として払い出される。
【００５３】
始動入賞口１１ａ，１１ｂに入賞した遊技球Ｐは、始動入賞口装置１１から通路１４ａ，１４ｂを流下し、回転中の不正防止用回転体２８の球通過穴３３を通過して通路１４ｃを流下し、大入賞口装置１３から排出機構へ排出される。
【００５４】
遊技中において、貯留皿６から球排出通路１４に不正目的の針金等の挿入部材が挿入された場合、その挿入部材が回転中の不正防止用回転体２８の球通過穴３３に挿入された際には、回転中の不正防止用回転体２８の架橋部３４と固定側架橋部材４３とで挿入部材が挟持され、それ以上の挿入が不可能になる。そのため、始動入賞口スイッチ１１ｄを不正に誤作動させる不正行為を確実に防止することができる。
【００５５】
また、球通過穴３３及び架橋部３４よりも球流れ方向上流側の近傍部位に、球排出通路１４を横断する固定側架橋部材４３を設け、不正防止用回転体２８は外周部に形成された外周ギヤ部３５を有し、回転駆動モータ２９は外周ギヤ部３５に噛合させたピニオン４０を介して不正防止用回転体２８を回転駆動するので、簡単な構成の不正防止機構３２により始動口スイッチ１１ｄの不正行為を確実に防止することができる。
【００５６】
前記実施例を部分的に変更する例について説明する。
１］不正防止用回転体２８の架橋部３４は、実施例で示す配設位置に限定されるものではなく、球通過穴３３の中心を通って固定側架橋部材４３と交差するように配設すればよい。
【００５７】
２］実施例では、固定側架橋部材４３を球通過穴３３及び架橋部３４よりも球流れ方向上流側の近傍部位に設けたが、球通過穴３３及び架橋部３４よりも球流れ方向の下流側の近傍部位に設けてもよい。即ち、固定側架橋部材４３が、通路１４ｃを横断するようにその中心を通ってその両端が通路１４ｃの内周壁に固着される。
【００５８】
３］実施例では、不正防止用回転体２８を入賞口ケース３０の上面部に配置したが、入賞口ケース３０の下面部に配置してもよい。この場合、遊技盤４の裏側において、入賞口ケース３０の外側近傍部位に回転駆動モータ２９を配設し、この回転駆動モータ２９の回転駆動力がピニオン４０を介して外周ギヤ部３５に伝達される。
【００５９】
４］不正防止用回転体２８の球通過穴３３に挿入部材が挿入された場合、不正行為が行われている旨を報知するように構成してもよい。この場合、不正防止用回転体２８の架橋部３４と固定側架橋部材４３の近傍に異常検出スイッチを設け、回転中の架橋部３４と固定側架橋部材４３とで挿入部材が挟持されると、不正防止用回転体２８の回転動作が停止するため、この停止を異常検出スイッチで検出し、制御装置に異常検出信号を送信することにより、ランプやスピーカーが駆動制御され、ランプが点灯点滅し、スピーカーから音声が出力されることにより不正行為が行われている旨が報知される。
【００６０】
５］不正防止機構３２を、遊技盤４の裏側を覆う保護カバー（盤裏カバー）の下端に形成された開口部の近傍に配置してもよい。
【００６１】
６］実施例では、不正防止用回転体２８とピニオン４０を合成樹脂材料で形成したが、金属材料で形成してもよい。
【００６２】
７］実施例では、第１種パチンコ機に分類されるパチンコ遊技機１に本発明を適用したが、羽根モノと呼ばれる第２種パチンコ遊技機や組合せ遊技機（雀球遊技機等）等に本発明を適用してもよい。
８］その他、当業者であれば、本発明の趣旨を逸脱することなく、前記実施例に種々の変更を付加した形態が実施可能であり、本発明はそのような変更形態を包含するものである。
【図面の簡単な説明】
【００６３】
【図１】本発明の実施例のパチンコ遊技機の概略正面図である。
【図２】遊技盤の正面図である。
【図３】始動入賞口装置と大入賞口装置の拡大正面図である。
【図４】始動入賞口装置と大入賞口装置の配置状態を示す拡大斜視図である。
【図５】始動入賞口装置の拡大斜視図である。
【図６】大入賞口装置の拡大斜視図である。
【図７】大入賞口装置の側面縦断面図である。
【図８】大入賞口装置の平面図である。
【符号の説明】
【００６４】
Ｐ        遊技球
１        パチンコ遊技機
１１      始動入賞口装置
１１ａ    上始動入賞口
１１ｂ    下始動入賞口  
１１ｄ    始動入賞口スイッチ
１３      大入賞口装置
１４      球排出通路
２５      大入賞口
２８      不正防止用回転体
２９      回転駆動モータ
３０      入賞口ケース
３３      球通過穴
３４      架橋部
３５      外周ギヤ部
４０      ピニオン
４３      固定側架橋部材
【図１】
2010124861.tif 000003
【図２】
2010124861.tif 000004
【図３】
2010124861.tif 000005
【図４】
2010124861.tif 000006
【図５】
2010124861.tif 000007
【図６】
2010124861.tif 000008
【図７】
2010124861.tif 000009
【図８】
2010124861.tif 000010